(57)【要約】【課題】ユーザ毎あるいは各ユーザの指の動作の差異による認識精度の低下を防止して、打鍵されたキーを正確に特定できる情報入力装置を提供する。【解決手段】情報入力装置１は、手袋部２とＰＣ１１とを備えている。手袋部２の指先部分に、加速度センサ３が取り付けられている。手袋部２の掌部分に、移動方向と移動量とを検出可能な光学センサが取り付けられている。加速度センサ３と光学センサとから検出された検出データは、ＰＣ１１に送信される。ＰＣ１１では、光学センサの検出データに基づいて、基準位置に対する手の移動方向と移動量とを算出し、キーボード配列のうち使用者が打鍵可能なキー（可能キー）を特定する。ＰＣ１１では、加速度センサ３の検出データに基づいて、打鍵動作が特定される。打鍵動作が行われた時点の可能キーが、使用者が選択したキー（決定キー）として特定される。【選択図】図１
2011186693.tif 000002
【特許請求の範囲】
【請求項１】
人体に取り付け可能であって、取り付けた部位の移動方向と移動量とを特定可能な物理量を検出する検出手段と、
前記検出手段において検出された前記物理量から、前記移動方向と前記移動量とを算出する算出手段と、
前記移動方向及び前記移動量と、キーの情報とを対応付けて記憶する記憶手段と、
前記記憶手段を参照し、前記算出手段において算出された前記移動方向と前記移動量とに対応付けられているキーを、指が打鍵可能なキーである可能キーとして特定する第一特定手段と、
指の位置に取り付け可能なセンサからの信号に基づいて、指が打鍵動作を行ったか否かを判断する打鍵判断手段と、
前記打鍵判断手段において指が打鍵動作を行ったと判断されたときに前記第一特定手段において特定されている前記可能キーである決定キーを特定する第二特定手段と、
前記第一特定手段において特定された前記可能キーを示す可能キー情報、及び、前記第二特定手段において特定された前記決定キーを示す決定キー情報のうち少なくとも一方を出力する出力手段と
を備えたことを特徴とする情報入力装置。
【請求項２】
前記センサは、複数の指の位置に其々取り付け可能であり、
前記記憶手段は、
前記移動方向及び前記移動量とキーの情報とを、前記センサが取り付けられた前記複数の指に対応付けて記憶し、
前記第一特定手段は、
前記複数の指の其々が打鍵可能な前記可能キーを特定し、
前記打鍵判断手段は、
前記複数の指のうちどの指が打鍵動作を行ったかを判断し、
前記第二特定手段は、
前記打鍵判断手段によって打鍵動作が行われたと判断された指に対応する前記可能キーを前記決定キーとして特定することを特徴とする請求項１に記載の情報入力装置。
【請求項３】
像を表示可能な表示手段を備え、
前記出力手段は、
前記可能キー情報及び前記決定キー情報のうち少なくとも一方を前記表示手段に出力することを特徴とする請求項１又は２に記載の情報入力装置。
【請求項４】
前記出力手段は、
前記可能キー情報を出力する場合は、前記打鍵判断手段において打鍵動作が行われていないと判断された時点で、前記可能キー情報を出力し、
前記決定キー情報を出力する場合は、前記打鍵判断手段において打鍵動作が行われたと判断された時点で、前記決定キー情報を出力することを特徴とする請求項３に記載の情報入力装置。
【請求項５】
前記出力手段は、
キーボードのキー配列を示し、前記可能キー情報を特定するための画像である可能キー画像と、前記可能キー画像とは異なる態様の画像であって前記決定キー情報を特定するための画像である決定キー画像とを前記表示手段に出力することを特徴とする請求項３又は４に記載の情報入力装置。
【請求項６】
前記第一特定手段は、
複数の指のうち所定の第一指の前記可能キーを特定する場合には、一軸方向の前記移動方向と前記移動量とから前記可能キーを特定し、前記第一指以外の第二指の前記可能キーを特定する場合には、二軸方向の前記移動方向と前記移動量とから前記可能キーを特定することを特徴とする請求項１から５のいずれかに記載の情報入力装置。
【請求項７】
前記検出手段において検出された前記物理量に基づいて、接触する物体の有無を判断する接触判断手段と、
前記接触判断手段において接触する物体がないことが検出された場合に、接触する物体がない状態で所定時間以上経過したか判断する時間判断手段とをさらに備え、
前記出力手段は、
前記時間判断手段において所定時間以上経過したと判断された場合に、前記表示手段に出力中の情報を消去することを特徴とする請求項３から５のいずれかに記載の情報入力装置。
【請求項８】
前記検出手段が所定位置にあるかを判断する位置判断手段と、
前記位置判断手段において前記検出手段が前記所定位置にあると判断された場合に、使用者に対して前記検出手段の位置を通知する通知手段と
をさらに備えたことを特徴とする請求項１から７のいずれかに記載の情報入力装置。
【請求項９】
バイブレータをさらに備え、
前記通知手段は、
前記バイブレータを振動させることにより、前記検出手段の位置が前記所定位置にあることを通知することを特徴とする請求項８に記載の情報入力装置。
【発明の詳細な説明】
【技術分野】
【０００１】
本発明は、情報入力装置に関する。より詳細には、キーボードを使用することなく、キー情報を入力できる情報入力装置に関する。
【背景技術】
【０００２】
近年、キーボードを使用することなく、キー情報を入力できる情報入力装置が開発されている。例えば特許文献１では、手の仕草で情報入力を行うことが可能な情報入力装置が提案されている。この入力装置では、ユーザの指に取り付けられたセンサからの信号が、所定の周期でスキャンされる。所定時間内にスキャンされた信号のデータ（スキャンデータ）が取得されて解析され、指の動きが認識される。
【０００３】
指の動きの認識は、特定の指の動きに対応付けられて予め準備された比較用データとスキャンデータとのマッチング処理によって実行される。スキャンデータが比較用データに該当する場合、該当するとされた比較用データに対応付けられている特定の指の動きが、実際の指の動きであると認識される。キーボード打鍵時の指の動きに相当する比較データを、キー別に準備しておくことで、認識された指の動きから、打鍵動作によって選択されたキーを特定することが可能となる。
【先行技術文献】
【特許文献】
【０００４】
【特許文献１】特表２００６−５０３３５０号公報
【発明の概要】
【発明が解決しようとする課題】
【０００５】
打鍵動作時における指の動作は、ユーザ毎に微妙に異なる。また共通のユーザによって共通のキーの打鍵動作が行われた場合であっても、指の動作は毎回異なる場合がある。従って上述の装置では、指の動きの差異が原因で指の動きが認識できない場合が発生する。このため、指の動作の認識精度が悪化し、キーが特定されない場合や、誤ったキー情報が特定される場合が発生するという問題点がある。
【０００６】
本発明の目的は、ユーザ毎あるいは各ユーザの指の動作の差異による認識精度の低下を防止して、打鍵されたキーを正確に特定できる情報入力装置を提供することにある。
【課題を解決するための手段】
【０００７】
本発明の第一態様に係る情報入力装置は、人体に取り付け可能であって、取り付けた部位の移動方向と移動量とを特定可能な物理量を検出する検出手段と、前記検出手段において検出された前記物理量から、前記移動方向と前記移動量とを算出する算出手段と、前記移動方向及び前記移動量と、キーの情報とを対応付けて記憶する記憶手段と、前記記憶手段を参照し、前記算出手段において算出された前記移動方向と前記移動量とに対応付けられているキーを、指が打鍵可能なキーである可能キーとして特定する第一特定手段と、指の位置に取り付け可能なセンサからの信号に基づいて、指が打鍵動作を行ったか否かを判断する打鍵判断手段と、前記打鍵判断手段において指が打鍵動作を行ったと判断されたときに前記第一特定手段において特定されている前記可能キーである決定キーを特定する第二特定手段と、前記第一特定手段において特定された前記可能キーを示す可能キー情報、及び、前記第二特定手段において特定された前記決定キーを示す決定キー情報のうち少なくとも一方を出力する出力手段とを備えている。
【０００８】
本発明の第一態様によれば、情報入力装置は、移動方向と移動量とから、指が打鍵可能なキー（可能キー）を特定する。情報入力装置は、指が打鍵動作を行ったと判断した時点の可能キーを、打鍵動作によって選択されたキー（決定キー）として特定し、出力する。
決定キーを特定するために必要な指の動作の認識を、打鍵動作に限定できるので、情報入力装置は、簡易な処理で正確に決定キーを特定できる。また、移動方向及び移動量は、検出手段によって特定されるので、正確に移動方向及び移動量を特定できる。情報入力装置は、高い認識精度で正確に決定キーを特定できる。
【０００９】
また、第一態様において、前記センサは、複数の指の位置に其々取り付け可能であり、前記記憶手段は、前記移動方向及び前記移動量とキーの情報とを、前記センサが取り付けられた前記複数の指に対応付けて記憶し、前記第一特定手段は、前記複数の指の其々が打鍵可能な前記可能キーを特定し、前記打鍵判断手段は、前記複数の指のうちどの指が打鍵動作を行ったかを判断し、前記第二特定手段は、前記打鍵判断手段によって打鍵動作が行われたと判断された指に対応する前記可能キーを前記決定キーとして特定してもよい。センサは、複数の指の位置に取り付け可能であるため、打鍵可能なキー情報を複数の指の其々に対応付けて記憶することによって、多くの決定キーを確実に特定できる。
【００１０】
また、第一態様において、像を表示可能な表示手段を備え、前記出力手段は、前記可能キー情報及び前記決定キー情報のうち少なくとも一方を前記表示手段に出力してもよい。これによって情報入力装置の使用者は、表示手段に出力される情報を視認することで、可能キー及び決定キーのうち少なくとも一方を認識できる。可能キーが表示手段に表示された場合、使用者は、情報入力装置によって特定される可能性のあるキー（可能キー）を、打鍵動作前に認識できる。決定キーが表示手段に表示された場合、使用者は、打鍵動作によって情報入力装置が認識したキー（決定キー）を確認することができる。使用者は、所望のキーが情報入力装置によって確実に認識されたか否かを、表示手段を視認することで確認できる。
【００１１】
また、第一態様において、前記出力手段は、前記可能キー情報を出力する場合は、前記打鍵判断手段において打鍵動作が行われていないと判断された時点で、前記可能キー情報を出力し、前記決定キー情報を出力する場合は、前記打鍵判断手段において打鍵動作が行われたと判断された時点で、前記決定キー情報を出力してもよい。これによってユーザは、打鍵動作が行われていない場合に可能キーを認識でき、打鍵動作が行われた場合に決定キーを認識できる。ユーザは、より容易に可能キー及び決定キーを認識できる。
【００１２】
また、第一態様において、前記出力手段は、キーボードのキー配列を示し、前記可能キー情報を特定するための画像である可能キー画像と、前記可能キー画像とは異なる態様の画像であって前記決定キー情報を特定するための画像である決定キー画像とを前記表示手段に出力してもよい。これによって使用者は、情報入力装置によって特定される可能性のあるキー（可能キー）を、キー配列上で認識できる。また使用者は、可能キーとは別に決定キーを認識できる。
【００１３】
また、第一態様において、前記第一特定手段は、複数の指のうち所定の第一指の前記可能キーを特定する場合には、一軸方向の前記移動方向と前記移動量とから前記可能キーを特定し、前記第一指以外の第二指の前記可能キーを特定する場合には、二軸方向の前記移動方向と前記移動量とから前記可能キーを特定してもよい。例えば、薬指や中指の可能キーを特定する場合には、キー配列の上下方向の移動方向と移動量とから、可能キーを一義的に特定する。一方、人差指や小指の可能キーを特定する場合には、キー配列の上下方向の移動量と左右方向の移動量とから、可能キーを一義的に特定する。通常、人差指と小指は、複数の列のキーを打鍵する為に使用されるので、二軸方向の移動方向と移動量とから可能キーを特定することによって、使用者はより実際のキーボードタイピングに近い入力操作を行うことができる。
【００１４】
また、第一態様において、前記検出手段は、接触する物体の有無をさらに検出し、前記検出手段において接触する物体がないことが検出された場合に、接触する物体がない状態で所定時間以上経過したか判断する時間判断手段をさらに備え、前記出力手段は、前記時間判断手段において所定時間以上経過したと判断された場合に、前記表示手段に出力中の情報を消去してもよい。情報入力装置は、検出手段が机上等に載置されていない場合には、決定キーの認識ができないので、表示手段に表示中の情報を消去する。使用者は、情報入力装置がキーを認識可能な状態であるか否かを、表示手段を視認することで認識できる。
【００１５】
また、第一態様において、前記検出手段が所定位置にあるかを判断する位置判断手段と、前記位置判断手段において前記検出手段が前記所定位置にあると判断された場合に、使用者に対して前記検出手段の位置を通知する通知手段とをさらに備えていてもよい。情報入力装置は、使用者に対して、検出手段が所定位置にあるか否かを通知できる。使用者は、検出手段が所定位置にあるか否かを認識できる。
【００１６】
また、第一態様において、バイブレータをさらに備え、前記通知手段は、前記バイブレータを振動させることにより、前記検出手段の位置が前記所定位置にあることを通知してもよい。これによって使用者は、バイブレータによる振動によって、検出手段が所定位置にあるか否かを認識できる。使用者は、表示手段を視認することなく、検出手段が所定位置にあるか否かを認識できる。
【図面の簡単な説明】
【００１７】
【図１】情報入力装置１の概要を示す模式図である。
【図２】手袋部２の概要を示す模式図である。
【図３】表示画像５１を示す図である。
【図４】手袋部２の電気的構成を示すブロック図である。
【図５】ＰＣ１１の電気的構成を示すブロック図である。
【図６】対応テーブル４４１を示す模式図である。
【図７】検出処理を示すフローチャートである。
【図８】受信処理を示すフローチャートである。
【図９】表示制御処理を示すフローチャートである。
【図１０】キー特定処理を示すフローチャートである。
【図１１】表示画像５４を示す図である。
【発明を実施するための形態】
【００１８】
以下、本発明の一実施形態における情報入力装置１について、図面を参照して説明する。これらの図面は、本発明が採用しうる技術的特徴を説明するために用いられるものである。記載されている装置の構成、各種処理のフローチャートなどは、それのみに限定する趣旨ではなく、単なる説明例である。
【００１９】
図１及び図２を参照し、情報入力装置１の概要について説明する。図１に示すように、情報入力装置１は、手袋部２とＰＣ１１とを備えている。手袋部２は、手袋の形状を有しており、使用者の手に装着される。図１及び図２では、右手用の手袋部２と左手用の手袋部２とが準備されている。使用者は、手袋部２を手に装着した状態で、キーボードを打鍵する動作を行う。手袋部２に取り付けられているセンサ（加速度センサ３、光学センサ８、詳細後述）において検出されたデータ（以下「検出データ」という。）が、ＰＣ１１に対して送信される。ＰＣ１１において、検出データが解析され、打鍵動作によって選択されたキーが特定される。特定されたキーは、ディスプレイ１３に表示される。使用者は、キーボードを用いることなくキーを入力することが可能となる。以下、使用者がキーボードを使用しない状態で打鍵の動作を行うことを、単に「打鍵動作を行う」という。
【００２０】
手袋部２の詳細について説明する。手袋部２は、使用者の手に装着される装着部５を備えている。装着部５は、手袋形状を有している。装着部５には、加速度センサ３が取り付けられている。加速度センサ３は、装着部５が使用者の手に装着された状態で、使用者の各指の先端部分に配置する。加速度センサ３は、打鍵動作時の指の運動を加速度信号として検出する。加速度センサ３としては、静電容量検出方式、ピエゾ抵抗方式、熱検知方式等、周知の駆動方式により駆動する加速度センサが使用できる。
【００２１】
図２に示すように、装着部５には、光学センサ８が取り付けられている。光学センサ８は、装着部５が使用者の手に装着された状態で、使用者の掌の下方に配置する。光学センサ８は、イメージセンサを備えている。イメージセンサでは、周期的に画像が撮影される。前回撮影された撮影画像と、今回撮影された撮影画像とから、同一の画像部分が特定される。同一の画像部分がどの方向にどの程度移動しているかが検出されることによって、光学センサ８の移動方向及び移動量が特定される。また、撮影画像が解析されることで、他の物体が光学センサ８に接触した状態であるかが特定される。例えば手袋部２を装着した使用者が、手を机上に載置させた場合、光学センサ８は机と接触する。情報入力装置１は、撮影画像を解析することで、手袋部２が机上に載置した状態であるかを特定できる。
【００２２】
図１に示すように、手袋部２には制御部６が取り付けられている。制御部６は、装着部５が使用者の手に装着された状態で、使用者の手の甲に配置する。制御部６は、加速度センサ３及び光学センサ８とハーネス４によって接続されている。加速度センサ３及び光学センサ８において検出された検出データは、ハーネス４を介して制御部６によって取得される。制御部６は、取得した検出データをＰＣ１１に対して無線送信する。
【００２３】
ＰＣ１１は、本体部１２、ディスプレイ１３、及びキーボード１４を備えている。ＰＣ１１は、手袋部２の制御部６から送信された検出データを受信する。ＰＣ１１は、使用者の打鍵動作によって選択されたキー情報を、受信した検出データに基づいて特定する。ＰＣ１１は、特定したキー情報をディスプレイ１３に表示する。
【００２４】
図３を参照し、ディスプレイ１３に表示される表示画像の一例である表示画像５１について説明する。表示画像５１は、可能キー画像５２と決定キー画像５３とを少なくとも備えている。可能キー画像５２は、キーボード配列（ＱＷＥＲＴＹ配列）を図示した画像である。可能キー画像５２は、使用者が打鍵可能なキー情報（以下「可能キー」という。）を示す。可能キーは、手袋部２が装着された手の移動方向と移動量とに基づいて特定される（詳細は後述する）。決定キー画像５３は、打鍵動作によって選択されたキー情報（以下「決定キー」という。）を示す。
【００２５】
図３では、可能キー画像５２のうち、可能キーに相当する部分「Ａ」（左手小指）、「Ｓ」（左手薬指）、「Ｄ」（左手中指）、「Ｆ」（左手人差指）、「Ｊ」（右手人差指）、「Ｋ」（右手中指）、「Ｌ」（右手薬指）、「＋」（右手小指）の色が反転している。これらのキーが可能キーに相当する。決定キー画像５３には、決定キーが表示されていない。使用者はキーを打鍵していない。使用者は、ディスプレイ１３を視認することによって、打鍵動作によって選択可能なキー（可能キー）を認識できる。使用者は、打鍵動作を行う前に、選択される可能性のあるキーを確認できるので、所望のキーを確実に入力できる。また使用者は、ディスプレイ１３を視認することによって、打鍵動作によって選択されたキー情報（決定キー）を認識できる。なお以下、可能キー画像５２において示されるキー配列のうち、紙面左右方向を「行」と呼び、紙面上下方向を「列」と呼ぶ。
【００２６】
本実施形態では、手袋部２が装着された手の移動方向と移動量とから、可能キーが特定される。移動方向と移動量とは、光学センサ８によって検出される検出データ（撮影画像）に基づいて算出される。手の上下方向の移動量に基づいて、キーボード配列のうち打鍵可能な行が特定される。手の左右方向の移動量に基づいて、キーボード配列のうち打鍵可能な列が特定される。打鍵可能な行と列とから一義的に特定されるキー情報が、可能キーとして特定される。また、指が打鍵動作を行ったかを判断することで、決定キーが特定される。打鍵動作を行ったか否かは、加速度センサ３によって検出される検出データ（加速度信号）に基づいて決定される。打鍵動作を行ったと判断された時点での可能キーが、決定キーとして特定される。
【００２７】
本実施形態において、ディスプレイ１３に表示される画像は、上述した態様に限定されない。例えば、可能キー画像と決定キー画像とのうちいずれか一のみディスプレイ１３に表示させてもよい。また本発明では、例えばＰＣ１１において実行中のアプリケーション（ワープロソフト、表計算ソフトなど）において、特定された決定キーが入力情報として直接認識されてもよい。加速度センサ３及び光学センサ８が取り付けられる位置は、上述の位置に限定されない。光学センサ８は、例えば手、足など人体の様々な部位に取り付けられてもよい。加速度センサ３は、装着部５のうち特定の指にのみ取り付けられていてもよい。情報入力装置１は、例えば片方の手に装着される手袋部２のみ備えた構成であってもよい。ＰＣ１１の代わりに専用機器が使用されてもよい。手袋部２とＰＣ１１との間の通信は無線通信に限定されず、有線通信であってもよい。情報入力装置１は、手袋部２の制御部６がディスプレイ１３と直接接続した構成であってもよい。制御部６が可能キー及び決定キーを特定し、ディスプレイ１３に直接出力してもよい。
【００２８】
情報入力装置１の電気的構成について、図４及び図５を参照して説明する。手袋部２の電気的構成について、図４を参照して説明する。手袋部２の制御部６は、ＣＰＵ３１を備えている。ＣＰＵ３１は、加速度センサ３及び光学センサ８において検出される検出データの取得処理や、検出データの送信処理を司る。制御部６は、ＲＯＭ３２とＲＡＭ３３とを備えている。ＲＯＭ３２には、ＣＰＵ３１が駆動する場合に必要なプログラム、初期設定情報、及びパラメータが少なくとも記憶されている。ＲＡＭ３３には、タイマやカウンタ等が記憶される。ＣＰＵ３１は、ＲＯＭ３２及びＲＡＭ３３とバス３４を介して電気的に接続している。ＣＰＵ３１は、ＲＯＭ３２及びＲＡＭ３３の記憶領域にアクセスできる。
【００２９】
手袋部２は、既述の加速度センサ３及び光学センサ８を備えている。制御部６は、Ａ／Ｄコンバータ３５を備えている。Ａ／Ｄコンバータ３５は、加速度センサ３から出力されるアナログ信号（加速度信号）をデジタル信号に変換する。加速度センサ３はＡ／Ｄコンバータ３５と電気的に接続している。Ａ／Ｄコンバータ３５はＣＰＵ３１と電気的に接続している。光学センサ８はＣＰＵ３１と電気的に接続している。ＣＰＵ３１は、加速度センサ３及び光学センサ８において検出される検出データを取得できる。
【００３０】
制御部６は、ＲＦモジュール３６とアンテナ３７とを備えている。ＲＦモジュール３６は、変調制御を司る。アンテナ３７は、無線の送受信を行う。ＣＰＵ３１は、ＲＦモジュール３６と電気的に接続している。ＲＦモジュール３６は、アンテナ３７と電気的に接続している。ＣＰＵ３１は、アンテナ３７を介してＰＣ１１と無線通信を行うことができる。制御部６は、バイブレータ７を備えている。バイブレータ７は、手袋部２を振動させることができる。ＣＰＵ３１はバイブレータ７と電気的に接続している。ＣＰＵ３１は、バイブレータ７を振動させることができる。
【００３１】
ＰＣ１１の電気的構成について、図５を参照して説明する。ＰＣ１１は、ＣＰＵ４１を備えている。ＣＰＵ４１は、検出データの受信、解析、表示制御を司る。ＰＣ１１は、ＲＯＭ４２、ＲＡＭ４３、及びハードディスクドライブ（ＨＤＤ）４４を備えている。ＲＯＭ４２には、ブートプログラムやＢＩＯＳが記憶される。ＲＡＭ４３には、タイマやカウンタ等が記憶される。ＨＤＤ４４には、ＣＰＵ４１によって実行されるＯＳやプログラム、後述する対応テーブル等が記憶される。ＣＰＵ４１は、ＲＯＭ４２、ＲＡＭ４３、及びＨＤＤ４４とバス４５を介して電気的に接続している。ＣＰＵ４１は、ＲＯＭ４２、ＲＡＭ４３、及びＨＤＤ４４の記憶領域にアクセスできる。
【００３２】
ＰＣ１１は、入出力ドライバ４６を備えている。入出力ドライバ４６は、ＰＣ１１に接続される周辺機器とＣＰＵ４１との仲介処理を行う。ＣＰＵ４１は、入出力ドライバと電気的に接続している。入出力ドライバ４６は、ディスプレイ１３及びキーボード１４と電気的に接続している。ＣＰＵ４１は、所望の画像をディスプレイ１３に表示させることができる。ＣＰＵ４１は、キーボード１４を介して入力された情報を認識できる。ＰＣ１１は、ＲＦモジュー４７とアンテナ４８とを備えている。ＲＦモジュール４７は、変復調制御を司る。ＣＰＵ４１は、ＲＦモジュール４７と電気的に接続している。ＲＦモジュール４７は、アンテナ４８と電気的に接続している。ＣＰＵ４１は、アンテナ４８を介して手袋部２と無線通信を行うことができる。
【００３３】
図６を参照し、ＨＤＤ４４に記憶される対応テーブルの一例である対応テーブル４４１について説明する。対応テーブル４４１は、可能キー及び決定キーを特定するために使用される。対応テーブル４４１には、左手各指（小指、薬指、中指、人差指）と、キーボード配列における各行（第１行〜第４行）及び各列（第１列〜第６列）とが対応付けられて記憶されている。右手各指に対応する対応テーブルは省略されている。
【００３４】
対応テーブル４４１では、キーボード配列の各行に、移動方向（上下方向）及び移動量が対応付けられている。移動量が正の値（＋）である場合、移動方向が上方向であることを示している。移動量が負の値（−）である場合、移動方向が下方向であることを示している。キーボード配列の各列に、移動方向（左右方向）及び移動量が対応付けられている。移動量が正の値（＋）である場合、移動方向が右方向であることを示している。移動量が負の値（−）である場合、移動方向が左方向であることを示している。なお移動方向及び移動量は、所定の位置（基準位置、詳細後述）を基準とした場合の値である。
【００３５】
例えば、手が基準位置から上方向に「ａ」ｃｍ以上移動している場合、打鍵可能な行として、第１行が特定される。手が基準位置から下方向に「ｃ」ｃｍ以上「ｄ」ｃｍ未満の範囲で移動している場合、打鍵可能な行として、第３行が特定される。例えば、手が基準位置から左方向に「ｅ」ｃｍ以上移動している場合、小指の打鍵可能な列として、第１列が選択される。手の基準位置から左方向への移動量が「ｅ」ｃｍ未満である場合、小指の打鍵可能な列として、第２列が選択される。手が基準位置から右方向に「ｈ」ｃｍ以上移動している場合、人差指の打鍵可能な列として、第６列が選択される。手の基準位置から右方向への移動量が「ｈ」ｃｍ未満である場合、人差指の打鍵可能な列として、第５列が選択される。以上のようにして特定された打鍵可能な行と打鍵可能な列とから、可能キーが指毎に一義的に特定される。なお、薬指と中指に対応する打鍵可能な列は、手が左右方向に移動しても変化しない（薬指：第３列、中指：第４列）。通常、人差指と小指は、複数の列のキーを打鍵する為に使用されるのに対し、薬指と中指は、特定の列のキーを打鍵するために使用される。対応テーブル４４１使用して可能キーが特定されることで、使用者は、より実際のキーボードタイピングに近い入力操作を行うことができる。なお本発明は、例えば手が基準位置から左右方向に移動している場合、すべての指に対応する打鍵可能な列を変化させてもよい。
【００３６】
図７を参照し、手袋部２のＣＰＵ３１において実行される検出処理について説明する。検出処理は、手袋部２の電源が投入された場合に、ＣＰＵ３１において起動され実行される。検出処理では、加速度センサ３において検出される検出データ（以下「第一データ」という。）が取得される（Ｓ１１）。光学センサ８において検出される検出データ（以下「第二データ」という。）が取得される（Ｓ１３）。取得された第一データと第二データとは、ＰＣ１１に対して無線送信される（Ｓ１５）。
【００３７】
ＰＣ１１から送信される通知信号を受信したかが判断される（Ｓ１７）。通知信号は、手袋部２が基準位置にある場合に、ＰＣ１１から送信される（詳細後述）。通知信号が受信された場合（Ｓ１７：ＹＥＳ）、バイブレータ７を振動させる（Ｓ１９）。処理は、Ｓ２１に進む。通知信号が受信されていない場合（Ｓ１７：ＮＯ）、そのまま処理はＳ２１に進む。このように情報入力装置１は、バイブレータ７を振動させることで、手袋部２が基準位置にあることを使用者に対して通知できる。使用者は、手袋部２の振動を感知することで、自身が装着する手袋部２が基準位置にあることを認識できる。
【００３８】
Ｓ２１では、処理が所定時間待機される（Ｓ２１）。所定時間経過後、処理はＳ１１に戻る。第一データと第二データとを取得し、ＰＣ１１に対して送信する処理が繰り返される。手袋部２では、所定の周期で繰り返し第一データと第二データとが取得され、ＰＣ１１に対して送信される。
【００３９】
図８から図１０を参照し、ＰＣ１１のＣＰＵ４１において実行される処理（受信処理、表示制御処理、キー特定処理）について説明する。各処理は、ＰＣ１１の電源が投入された状態で起動され実行される。各処理は、ＯＳによって適宜スイッチングされ実行される。
【００４０】
図８を参照し、受信処理について説明する。手袋部２から検出データ（第一データ、第二データ）が送信されているかが判断される（Ｓ３１）。手袋部２から検出データが送信されていない場合（Ｓ３１：ＮＯ）。処理はＳ３１に戻る。手袋部２から検出データが送信されている場合（Ｓ３１：ＹＥＳ）、検出データが受信される（Ｓ３３）。受信された検出データは、ＨＤＤ４４に記憶される（Ｓ３５）。処理はＳ３１に戻る。繰り返し、検出データの受信処理が実行される。
【００４１】
図９を参照し、表示制御処理について説明する。ディスプレイ１３に表示画像が表示されている場合、表示画像が消去される（Ｓ４１）。ＨＤＤ４４に記憶されている第二データが解析される。光学センサ８に他の物体が接触しているかが判断される（Ｓ４３）。光学センサ８に他の物体が接触していない場合（Ｓ４３：ＮＯ）、手袋部２は机上等に載置していない可能性がある。手袋部２が机上等に載置されていない状態では、キーの入力は許可されないので、処理はＳ４１に戻る。一方、第二データの解析の結果、光学センサ８に他の物体が接触していると判断された場合（Ｓ４３：ＹＥＳ）、ＨＤＤ４４に記憶されている第一データが解析される。手袋部２が所定時間以上連続して静止しているか判断される（Ｓ４５）。手袋部２が静止した状態での経過時間が所定時間未満である場合（Ｓ４５：ＮＯ）、キーの入力は許可されないので、処理はＳ４１に戻る。
【００４２】
手袋部２が所定時間以上連続して静止した場合（Ｓ４５：ＹＥＳ）、キーの入力が許可される。現時点の手袋部２の位置が、手袋部２の移動方向及び移動量を算出する場合の基準位置として設定される（Ｓ４７）。基準位置の情報は、ＲＡＭ４３に記憶される。可能キー画像及び決定キー画像（図３参照）がディスプレイ１３に表示される（Ｓ４９）。ＨＤＤ４４に記憶されている第二データが解析される。光学センサ８に他の物体が接触しているかが判断される（Ｓ５１）。光学センサ８に他の物体が接触している場合（Ｓ５１：ＮＯ）、継続して可能キー及び決定キーを特定可能な状態であるので、処理はＳ４９に戻る。
【００４３】
光学センサ８に他の物体が接触していない場合（Ｓ５１：ＹＥＳ）、光学センサ８に他の物体が接触していない状態が、連続して所定時間以上経過したかが判断される（Ｓ５３）。他の物体が接触していない状態での経過時間が所定時間未満である場合（Ｓ５３：ＮＯ）、一時的に光学センサ８が机上等から離隔した可能性がある。処理はＳ４９に戻る。光学センサ８に他の物体が接触していない状態が連続して所定時間以上続いた場合（Ｓ５３：ＹＥＳ）、Ｓ４７においてＲＡＭ４３に記憶された基準位置の情報は消去され、処理はＳ４１に戻る。キーの入力が禁止されたことを使用者に通知するために、表示中の可能キー画像及び決定キー画像が消去される（Ｓ４１）。そして上述の処理が繰り返される。このように情報入力装置１は、例えば手袋部２が机上等に載置されていない状態が連続して続いた場合、ディスプレイ１３に表示中の画像を消去する。使用者は、キー入力が可能な状態か否かを、ディスプレイ１３を視認することで認識できる。
【００４４】
図１０を参照し、キー特定処理について説明する。基準位置がＲＡＭ４３に記憶されているかが判断される（Ｓ６０）。基準位置がＲＡＭ４３に記憶されていない場合（Ｓ６０：ＮＯ）、手袋部２の移動方向及び移動量を算出することができないので、処理はＳ６０に戻る。基準位置がＲＡＭ４３に記憶されている場合（Ｓ６０：ＹＥＳ）、ＨＤＤ４４に記憶されている第二データが解析される。基準位置に対する光学センサ８の移動方向及び移動量が算出される。算出された移動方向及び移動量に基づいて、現在の光学センサ８の位置が特定される。特定された位置と、ＲＡＭ４３に記憶された基準位置とが比較される。双方が一致する場合、手袋部２は基準位置に配置している（Ｓ６１：ＹＥＳ）。手袋部２が基準位置に配置していることを通知する通知信号が、手袋部２に対して無線送信される（Ｓ６３）。そして処理は、Ｓ６５に進む。光学センサ８の位置と基準位置とが相違する場合（Ｓ６１：ＮＯ）、そのまま処理はＳ６５に進む。
【００４５】
Ｓ６５では、ＨＤＤ４４に記憶された第一データが解析される。いずれかの指で打鍵動作が行われたかが判断される（Ｓ６５）。打鍵動作の有無の判断は、例えば以下の方法によって実行される。ＨＤＤ４４に記憶されている第一データの履歴が、所定の時間間隔で切り出される。切り出された第一データのうち、最大値と最小値とが抽出される。抽出された最大値と最小値との差分が所定値以上となった場合、打鍵動作が行われたと判断される。なお、打鍵動作の有無を判断する方法は、上述の方法に限定されない。例えばパターンマッチング処理を行うことによって、打鍵動作の有無を判断してもよい。
【００４６】
打鍵動作が行われていないと判断された場合（Ｓ６５：ＮＯ）、ＨＤＤ４４に記憶された第二データが解析される。基準位置に対する手袋部２の移動方向及び移動量が算出される（Ｓ６７）。対応テーブル（図６参照）が参照される。算出された移動方向及び移動量に基づき、可能キーが指毎に特定される（Ｓ６９）。特定された可能キーは、可能キー画像を介してディスプレイ１３に出力される（Ｓ７１）。処理はＳ６０に戻る。
【００４７】
打鍵動作が行われたと判断された場合（Ｓ６５：ＹＥＳ）、打鍵動作が行われた指に対応する可能キーが、決定キーとして特定される（Ｓ７３）。特定された決定キーは、決定キー画像を介してディスプレイ１３に出力される（Ｓ７５）。処理はＳ６０に戻る。
【００４８】
決定キーが出力された場合の表示画像の一例である表示画像５４を、図１１に示す。左手の打鍵可能な行として第２列が選択されている。使用者の左手に装着された手袋部２は、基準位置から上方向に「ｂ」ｃｍ以上「ａ」ｃｍ未満の範囲で移動していることになる（図６参照）。左手人差指の打鍵可能な列として第６列「Ｔ」が選択されている。左手に装着された手袋部２は、基準位置から右方向に「ｈ」ｃｍ以上移動していることになる。結果、左手小指の可能キー「Ｑ」、左手薬指の可能キー「Ｗ」、左手中指の可能キー「Ｅ」、及び左手小指の可能キー「Ｔ」が、可能キー画像５５として表示されている。同様に、右手小指の可能キー「０」、右手薬指の可能キー「９」、右手中指の可能キー「８」、及び右手人差指の可能キー「６」が、可能キー画像５５として表示されている。使用者は、可能キー画像５５を視認することで、打鍵動作前に可能キーを認識できる。使用者は、キーボード配列上で可能キーを認識できるので、どの方向にどの程度手を移動させれば、所望のキーの入力動作を行うことが出来るかを、打鍵動作前に認識できる。使用者は、手袋部２の位置を補正することで、所望のキーを正確に入力できる。
【００４９】
また、決定キー「６」が決定キー画像５６に表示されている。使用者は、右手人差指によって打鍵動作を行っていることになる。使用者は、打鍵動作によって認識されたキーを、決定キー画像５６を視認することで確認できる。なお打鍵動作によって複数のキーが同時に選択されている場合は、複数のキーが決定キー画像５６に表示されてもよい。
【００５０】
以上説明したように、情報入力装置１は、基準位置に対する手袋部２の移動方向と移動量とから、可能キーを特定する。情報入力装置１は、指が打鍵動作を行ったと判断した時点の可能キーを、決定キーとして特定する。決定キーを特定するために必要な指の動作の認識を、打鍵動作に限定できるので、情報入力装置１は、簡易な処理で正確に決定キーを特定できる。また、移動方向及び移動量は、光学センサ８によって特定されるので、正確に移動方向及び移動量を特定できる。情報有力装置１は、高い認識精度で正確に決定キーを特定できる。さらに、一般的に、キーの打鍵動作が使用者によって行われる場合の手の移動方向及び移動量と打鍵動作とは、使用者毎のばらつきが小さい。従って情報入力装置１は、使用者が異なる場合であっても、高い認識精度で正確に決定キーを特定できる。
【００５１】
情報入力装置１では、加速度センサ３が各指の位置に取り付け可能である。使用者は、複数の指を用いて情報を入力することができるので、より多くの情報を容易に且つ迅速に入力できる。例えば従来のキーボードタイピングに近い入力操作を行うことができる。また情報入力装置１は、バイブレータ７を振動させることで、手袋部２が基準位置にあるか否かを使用者に対して通知できる。使用者は、基準位置を確認できるので、手袋部２が装着された手をどのように動かせば、所望のキーの打鍵動作が実行できるかを認識できる。使用者は、正確に所望のキーの打鍵動作を実行できる。
【００５２】
なお、図２の光学センサ８が本発明の「検出手段」に相当する。図１０のＳ６７の処理を行うＣＰＵ４１が本発明の「算出手段」に相当する。対応テーブルを記憶する図５のＨＤＤ４４が本発明の「記憶手段」に相当する。図１０のＳ６９の処理を行うＣＰＵ４１が本発明の「第一特定手段」に相当し、Ｓ６５の処理を行うＣＰＵ４１が本発明の「打鍵判断手段」に相当し、Ｓ７３の処理を行うＣＰＵ４１が本発明の「第二特定手段」に相当し、Ｓ７１、Ｓ７５の処理を行うＣＰＵ４１が本発明の「出力手段」に相当する。図１のディスプレイ１３が本発明の「表示手段」に相当する。図９のＳ４３、Ｓ５１の処理を行うＣＰＵ４１が本発明の「接触判断手段」に相当し、Ｓ５３の処理を行うＣＰＵ４１が本発明の「時間判断手段」に相当する。図１０のＳ６１の処理を行うＣＰＵ４１が本発明の「位置判断手段」に相当し、図７のＳ１９の処理を行うＣＰＵ３１が本発明の「通知手段」に相当する。
【００５３】
なお本発明は、上述の実施形態に限定されるものではなく、種々の変更が可能である。上述では、基準位置からの移動方向及び移動量を特定するためのセンサとして光学センサ８が使用されていた。本発明はこれに限定されず、移動方向及び移動量を特定可能な他のセンサが使用されてもよい。また、加速度センサ３から検出される検出データによって移動方向及び移動量が算出されてもよい。
【００５４】
本実施の形態では、バイブレータ７を振動させることで、使用者に対して基準位置を通知していたが、本発明はこれに限定されない。基準位置に手袋部２が配置している旨をディスプレイ１３に表示することで、使用者に基準位置を通知してもよい。
【００５５】
本実施の形態では、光学センサ８において検出される検出データに基づいて、手袋部２が他の物体に接触しているかを特定していた。本発明はこれに限定されない。専用のセンサ（接触センサ）を設け、該センサによって手袋部２が他の物体に接触しているかを特定してもよい。
【符号の説明】
【００５６】
１    情報入力装置
３    加速度センサ
４    ハーネス
５    装着部
６    制御部
７    バイブレータ
８    光学センサ
１１  ＰＣ
４４  ＨＤＤ
５１，５４  表示画像
５２，５５  可能キー画像
５３，５６  決定キー画像
４４１  対応テーブル
【図１】
2011186693.tif 000003
【図２】
2011186693.tif 000004
【図３】
2011186693.tif 000005
【図４】
2011186693.tif 000006
【図５】
2011186693.tif 000007
【図６】
2011186693.tif 000008
【図７】
2011186693.tif 000009
【図８】
2011186693.tif 000010
【図９】
2011186693.tif 000011
【図１０】
2011186693.tif 000012
【図１１】
2011186693.tif 000013